【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
酸素捕捉剤としての表面処理された炭酸カルシウム含有材料および／または炭酸マグネシウム含有材料の使用であって、
表面処理剤が、アスコルビン酸および／またはその塩、没食子酸および／またはその塩、不飽和脂肪酸および／またはその塩、元素鉄、鉄（ＩＩ）塩および鉄（ＩＩ）含有酸化物、鉄（ＩＩ、ＩＩＩ）含有酸化物およびこれらの混合物からなる群から選択され、かつ
少なくとも１種の前記炭酸カルシウム含有材料および／または炭酸マグネシウム含有材料の合計表面積上の表面処理剤の合計重量が、前記少なくとも１種の炭酸カルシウム含有材料および／または炭酸マグネシウム含有材料を基準にして、０．０１〜４０ｍｇ／ｍ２である、
使用。
【請求項２】
前記炭酸カルシウム含有材料および／または炭酸マグネシウム含有材料が、粉砕炭酸カルシウム、沈殿炭酸カルシウム、ドロマイト、およびこれらの混合物からなる群から選択される、請求項１に記載の使用。
【請求項３】
前記粉砕炭酸カルシウムが、大理石、石灰岩および／または白亜から選択され、前記沈殿炭酸カルシウムが、バテライト、方解石および／または霰石から選択される、請求項２に記載の使用。
【請求項４】
少なくとも１種の前記炭酸カルシウム含有材料および／または炭酸マグネシウム含有材料の比表面積（ＢＥＴ）が、窒素およびＩＳＯ９２７７：２０１０によるＢＥＴ法で測定して、０．５〜１５０ｍ２／ｇである、請求項１〜３のいずれか１項に記載の使用。
【請求項５】
少なくとも１種の前記炭酸カルシウム含有材料および／または炭酸マグネシウム含有材料の比表面積（ＢＥＴ）が、窒素およびＩＳＯ９２７７：２０１０によるＢＥＴ法で測定して、１〜６０ｍ２／ｇである、請求項１〜３のいずれか１項に記載の使用。
【請求項６】
少なくとも１種の前記表面処理された炭酸カルシウム含有材料および／または炭酸マグネシウム含有材料の合計表面積上の表面処理剤の合計重量が、少なくとも１種の炭酸カルシウム含有材料および／または炭酸マグネシウム含有材料を基準にして、０．１〜４０ｍｇ／ｍ２である、請求項１〜５のいずれか１項に記載の使用。
【請求項７】
少なくとも１種の前記表面処理された炭酸カルシウム含有材料および／または炭酸マグネシウム含有材料の合計表面積上の表面処理剤の合計重量が、少なくとも１種の炭酸カルシウム含有材料および／または炭酸マグネシウム含有材料を基準にして、０．５〜２０ｍｇ／ｍ２である、請求項１〜５のいずれか１項に記載の使用。
【請求項８】
前記表面処理された炭酸カルシウム含有材料および／または炭酸マグネシウム含有材料の吸湿感受性が、０．０５〜２０ｍｇ／ｇである、請求項１〜７のいずれか１項に記載の使用。
【請求項９】
前記表面処理された炭酸カルシウム含有材料および／または炭酸マグネシウム含有材料の吸湿感受性が、０．１〜１５ｍｇ／ｇである、請求項１〜７のいずれか１項に記載の使用。
【請求項１０】
前記不飽和脂肪酸が、オレイン酸、リノール酸、リノレン酸、クロトン酸、ミリストレイン酸、パルミトレイン酸、サピエン酸、エライジン酸、バクセン酸、ガドレイン酸、エルカ酸、ネルボン酸、エコサジエン酸（ｅｃｏｓａｄｉｅｎｏｉｃ  ａｃｉｄ）、ドコサジエン酸、ピノレン酸、エレオステアリン酸、ミード酸、ジホモ−γ−リノレン酸、エイコサトリエン酸、ステアリドン酸、アラキドン酸、エイコサテトラエン酸、アドレン酸、ボセオペンタエン酸、エイコサペンタエン酸、オズボンド酸、鰯酸、テトラコサノールペンタエン酸、ドコサヘキサエン酸、ニシン酸、これらの酸の塩およびこれらの混合物からなる群から選択される、請求項１、８または９のいずれか１項に記載の使用。
【請求項１１】
前記不飽和脂肪酸が、オレイン酸またはリノール酸である、請求項１、８または９のいずれか１項に記載の使用。
【請求項１２】
前記鉄が、５〜１０μｍの範囲の体積粒径中央値ｄ５０を有する微粒子粉末鉄である、請求項１〜９のいずれか１項に記載の使用。
【請求項１３】
前記鉄が、１０ｎｍ〜２μｍの範囲の体積粒径中央値ｄ５０を有する微粒子粉末鉄である、請求項１〜９のいずれか１項に記載の使用。
【請求項１４】
前記炭酸カルシウム含有材料および／または炭酸マグネシウム含有材料が、別の添加物でさらに処理される、請求項１〜１３のいずれか１項に記載の使用。
【請求項１５】
前記別の添加物が、分散剤、結合剤および／または活性剤である、請求項１４に記載の使用。
【請求項１６】
前記分散剤が、ポリアクリレート分散剤である、請求項１５に記載の使用。
【請求項１７】
表面処理剤の１グラム当たりの反応した酸素の合計体積が、１日当たり表面処理剤の１グラム当たり０．０１〜１０ｍＬの範囲であり、酸素との反応が、標準圧力下で空気を満たした７Ｌの容積の密閉デシケーター中で５００ｇの乾燥した表面処理された炭酸カルシウム含有材料および／または炭酸マグネシウム含有材料を用いて実施される、請求項１〜１６のいずれか１項に記載の使用。
【請求項１８】
表面処理剤の１グラム当たりの反応した酸素の合計体積が、１日当たり表面処理剤の１グラム当たり０．１〜８ｍＬの範囲である、請求項１７に記載の使用。
【請求項１９】
前記表面処理された炭酸カルシウム含有材料および／または炭酸マグネシウム含有材料が、疎水化剤であって、表面処理炭酸カルシウム含有材料および／または炭酸マグネシウム含有材料を少なくとも部分的に被覆する、少なくとも１種の追加の薬剤をさらに含み、前記表面処理された炭酸カルシウム含有材料および／または炭酸マグネシウム含有材料の合計表面積上の少なくとも１種の疎水化剤の合計重量が、少なくとも１種の前記炭酸カルシウム含有材料および／または炭酸マグネシウム含有材料を基準にして、０．００１〜１０ｍｇ／ｍ２である、請求項１〜１８のいずれか１項に記載の使用。
【請求項２０】
前記表面処理された炭酸カルシウム含有材料および／または炭酸マグネシウム含有材料の合計表面積上の少なくとも１種の疎水化剤の合計重量が、少なくとも１種の前記炭酸カルシウム含有材料および／または炭酸マグネシウム含有材料を基準にして、０．００１〜９ｍｇ／ｍ２である、請求項１９に記載の使用。
【請求項２１】
前記表面処理された炭酸カルシウム含有材料および／または炭酸マグネシウム含有材料が、Ｃ４〜Ｃ２４の合計炭素原子量を有する脂肪族カルボン酸および／またはその反応生成物、置換基中に少なくともＣ２〜Ｃ３０の合計炭素原子量を有する直鎖、分岐、脂肪族および環状基から選択される基で単一置換された無水コハク酸からなる一置換無水コハク酸および／またはその反応生成物、１種または複数のリン酸モノエステルのリン酸エステル混合物および／またはその反応生成物および１種または複数のリン酸ジエステルおよび／またはその反応生成物、ポリ水素シロキサンおよびその反応生成物、不活性のシリコーンオイル、およびこれらの混合物からなる群より選択される疎水化剤である少なくとも１種の追加の薬剤を含む、請求項１９または２０に記載の使用。
【請求項２２】
前記不活性のシリコーンオイルが、ポリジメチルシロキサンである、請求項２１に記載の使用。
【請求項２３】
ポリマー組成物、コーティング、食品用途、フィルターおよび／または化粧品用途での、請求項１〜２２のいずれか１項に記載の使用。
【請求項２４】
ポリマーまたはペーパーコーティング、および／または食品用途での、請求項１〜２２のいずれか１項に記載の使用。